(57)【要約】【課題】本発明は、手差しする用紙のサイズや手差し方向の種類が増加した場合にもそれらを容易に認識することができる手差しトレイを提供することを目的とするものである。【解決手段】手差しトレイ２６は、本体トレイ４０に回動可能に取り付けられた補助トレイ４３と補助トレイ４３に回動可能に取り付けられた延長トレイ４４を備えている。補助トレイ４３を開いた状態では延長トレイ４４の表面側に小サイズの用紙のセット位置を示す識別マークが表示されている。延長トレイ４４を開いた状態では補助トレイ４３の上面に大サイズの用紙の幅方向のセット位置を示す識別マークが表示され、延長トレイ４４の裏面側には大サイズの用紙の後端のセット位置を示す識別マークが表示されている。【選択図】図２
2008207907.tif 000002
【特許請求の範囲】
【請求項１】
装置の側部に取り付けられた本体トレイと、前記本体トレイに収納可能に取り付けられるとともに大きいサイズの用紙の幅方向のセット位置を示す大サイズ指示マークが表示されている補助トレイと、補助トレイに収納可能に取り付けられるとともに小さいサイズの用紙の幅方向及び後端のセット位置を示す小サイズ指示マーク及び大きいサイズの用紙の後端のセット位置を示す大サイズ指示マークが表示されている延長トレイとを備え、前記小サイズ指示マークは、前記延長トレイの収納時に視認可能で使用時に前記補助トレイに隠れる位置に表示されており、前記大サイズ指示マークは、前記延長トレイの使用時に視認可能で収納時に前記延長トレイに隠れる位置に表示されていることを特徴とする手差しトレイ。
【請求項２】
前記延長トレイは、前記補助トレイに回動可能に取り付けられているとともに収納状態における表面側に前記小サイズ指示マークが表示され裏面側に用紙の後端を示す前記大サイズ指示マークが表示されており、収納された前記延長トレイの前記補助トレイの対向面側には、用紙の幅方向を示す前記大サイズ指示マークが表示されていることを特徴とする請求項１に記載の手差しトレイ。
【請求項３】
前記延長トレイは、前記補助トレイに引き出し可能に取り付けられており、前記補助トレイは、前記延長トレイの収納時に前記延長トレイの一部が露出する窓部が形成されており、収納された前記延長トレイの前記窓部から露出する位置には前記小サイズ指示マークが表示されており、前記延長トレイの引き出し時に露出する面には用紙の後端を示す前記大サイズ指示マークが表示され前記窓部における前記補助トレイの露出面には用紙の幅方向を示す前記大サイズ指示マークが表示されていることを特徴とする請求項１に記載の手差しトレイ。
【請求項４】
請求項１から３のいずれかに記載の手差しトレイを備えていることを特徴とする画像形成装置。
【発明の詳細な説明】
【技術分野】
【０００１】
本発明は、複写機、プリンタ、ファクシミリ装置などの画像形成装置に取り付けられる手差しトレイに関する。
【背景技術】
【０００２】
電子写真方式の画像形成装置としては、像担持体として例えば感光体ドラムを用いて、その表面を帯電して露光することで静電潜像を形成し、静電潜像にトナーを付着させて可視像化し用紙に転写するといった画像形成を行うものが知られている。こうした画像形成装置では、画像処理に使用する用紙を給紙カセットにまとめて収納しておき、１枚ずつ給紙して画像形成処理を行うが、給紙カセットに収納されていないサイズの用紙を使用する場合には、別途手差しにより用紙を給紙するようになっており、そのための手差し給紙機構が設けられている。そして、手差し給紙を行う場合に用紙をセットするために手差しトレイが装置の側部に取り付けられている。
【０００３】
手差しトレイには、用紙のサイズによってセット位置が異なる場合にセット位置を指示するマークが表示されるようになっている。例えば、特許文献１では、トレイ本体に貼るサイズラベルに長尺の用紙用のサイズを表示し、補助トレイに貼る補助サイズラベルには短尺の用紙用サイズを表示し、補助トレイを折り畳んだ状態では補助サイズラベルだけが見え、補助トレイを広げた状態ではサイズレベルが表れるようにした点が記載されている。また、特許文献２では、トレイ本体に折畳まれる補助トレイの裏面に閉状態で確認可能な指標を設けた点が記載されている。
【特許文献１】特開平５−３１９６３５号公報
【特許文献２】特開平８−８１０９２号公報
【発明の開示】
【発明が解決しようとする課題】
【０００４】
上述した先行文献では、本体トレイや補助トレイに用紙のサイズを表示して補助トレイの折畳んだ状態や広げた状態で用紙のセット位置が容易に認識できるようにしているが、本体トレイに用紙のサイズを表示した場合に用紙の幅方向に対するセット位置は認識できるものの用紙の後端位置がわからないため、用紙を縦方向に挿入する場合と横方向に挿入する場合との区別がつきにくくなる欠点がある。このように用紙のサイズや手差し方向の種類が増えてくると、先行文献のような表示だけでは十分とはいえない。
【０００５】
そこで、本発明は、手差しする用紙のサイズや手差し方向の種類が増加した場合にもそれらを容易に認識することができる手差しトレイを提供することを目的とするものである。
【課題を解決するための手段】
【０００６】
本発明に係る手差しトレイは、装置の側部に取り付けられた本体トレイと、前記本体トレイに収納可能に取り付けられるとともに大きいサイズの用紙の幅方向のセット位置を示す大サイズ指示マークが表示されている補助トレイと、補助トレイに収納可能に取り付けられるとともに小さいサイズの用紙の幅方向及び後端のセット位置を示す小サイズ指示マーク及び大きいサイズの用紙の後端のセット位置を示す大サイズ指示マークが表示されている延長トレイとを備え、前記小サイズ指示マークは、前記延長トレイの収納時に視認可能で使用時に前記補助トレイに隠れる位置に表示されており、前記大サイズ指示マークは、前記延長トレイの使用時に視認可能で収納時に前記延長トレイに隠れる位置に表示されていることを特徴とする。さらに、前記延長トレイは、前記補助トレイに回動可能に取り付けられているとともに収納状態における表面側に前記小サイズ指示マークが表示され裏面側に用紙の後端を示す前記大サイズ指示マークが表示されており、収納された前記延長トレイの前記補助トレイの対向面側には、用紙の幅方向を示す前記大サイズ指示マークが表示されていることを特徴とする。さらに、前記延長トレイは、前記補助トレイに引き出し可能に取り付けられており、前記補助トレイは、前記延長トレイの収納時に前記延長トレイの一部が露出する窓部が形成されており、収納された前記延長トレイの前記窓部から露出する位置には前記小サイズ指示マークが表示されており、前記延長トレイの引き出し時に露出する面には用紙の後端を示す前記大サイズ指示マークが表示され前記窓部における前記補助トレイの露出面には用紙の幅方向を示す前記大サイズ指示マークが表示されていることを特徴とする。
【０００７】
本発明に係る画像形成装置は、上記の手差しトレイを備えていることを特徴とする。
【発明の効果】
【０００８】
本発明は、上記のような構成を有することで、前記小サイズ指示マークは、前記延長トレイの収納時に視認可能で使用時に前記補助トレイに隠れる位置に表示されており、前記大サイズ指示マークは、前記延長トレイの使用時に視認可能で収納時に前記延長トレイに隠れる位置に表示されているので、延長トレイを収納状態で小さいサイズの用紙を手差しする場合に延長トレイに表示された用紙の幅方向及び後端を示す小サイズ指示マークにより容易に用紙をセットすることができ、延長トレイを使用状態で大きいサイズの用紙を手差しする場合に補助トレイ及び延長トレイに表示された大サイズ指示マークにより容易に用紙をセットすることができる。そして、延長トレイの収納時には大サイズ指示マークが延長トレイにより隠れた位置に設定されて外部から見えなくなり、延長トレイの使用時には小サイズ指示マークが補助トレイにより隠れた位置に設定されて見えなくなるため、用紙をセットする際に不要なサイズの指示マークが隠されて表示される指示マークが少なくなり、該当する指示マークを容易に視認することができる。
【０００９】
また、延長トレイが補助トレイに回動可能に取り付けられて収納状態における表面側に小サイズ指示マークが表示され裏面側に用紙の後端を示す大サイズ指示マークが表示されており、収納された延長トレイの補助トレイの対向面側には、用紙の幅方向を示す大サイズ指示マークが表示されているので、延長トレイを折畳んだ収納状態では表面側に小サイズ指示マークが表示され延長トレイを回動して使用状態にすると小サイズ指示マークが裏側となって見えなくなり、裏面側の大サイズ指示マークが補助トレイの大サイズ指示マークとともに表示されるようになる。
【００１０】
また、延長トレイを補助トレイに引き出し可能に取り付け、補助トレイに延長トレイの収納時に延長トレイの一部が露出する窓部を形成し、収納された延長トレイの窓部から露出する位置には小サイズ指示マークが表示され、延長トレイの引き出し時に露出する面には用紙の後端を示す大サイズ指示マークが表示され窓部における補助トレイの露出面には用紙の幅方向を示す大サイズ指示マークが表示されているので、延長トレイの収納時に小サイズ指示マークが表示され大サイズ指示マークが隠れて、延長トレイの引き出し時に大サイズ指示マークが表示されて小サイズ指示マークが隠れるようになり、不要な指示マークが隠れて表示される指示マークが少なくなる。
【発明を実施するための最良の形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る画像形成装置全体の概略断面図である。画像形成装置１の上部には用紙排出トレイ１０が設けられ、その下部には、記録部２及び給紙部３が配されている。
【００１３】
給紙部３では、給紙カセット１１が配置されており、フラッパ１２に所定のサイズの用紙が複数枚積載されている。給紙カセット１１の右端部には、ピックアップローラ１３が配置されている。フラッパ１２は、積載された用紙の上面がピックアップローラ１３に圧接するように、図示しないバネ部材により上方に付勢されている。この状態でピックアップローラ１３が回転駆動すると、摩擦力により用紙が１枚ずつ用紙搬送路に給紙されるようになる。
【００１４】
給紙された用紙は、まずフィードローラ１４及びプレスローラ１５により記録部２に搬送される。記録部２では、搬送された用紙に記録するために、現像器１６、クリーニング機構１７、コロナ帯電器１８、感光体ドラム１９、転写ローラ２０、露光装置２１及び定着ローラ２２が備えられている。クリーニング機構１７は、転写後の感光体ドラム１９の表面に付着した残留トナーや紙粉等の異物をクリーニングローラにより捕捉して感光体ドラム１９の表面を清掃する。コロナ帯電器１８は、放電ワイヤからのコロナ放電により感光体ドラム１９の表面を一様に帯電する。一様に帯電された感光体ドラム１９に、露光装置２１で画像記録信号に応じて露光することで静電潜像が形成される。そして、現像器１６内のトナーを感光体ドラム１９に形成された静電潜像に転移させて、静電潜像を可視像化する。転写ローラ２０は、用紙を挟んで感光体ドラム１９と対向する位置に設置されており、所定の電圧が印加されると感光体ドラム１９表面に形成されたトナー像が用紙に転写される。そして、転写されたトナー像は、定着ローラ２２及びプレスローラ２３によって挟持されて加熱・プレスされ用紙に定着される。定着された用紙は、排紙ローラ２４及びプレスローラ２５の間に挟持されて用紙排出トレイ１０に搬出される。
【００１５】
また、装置本体の側面には、手差し給紙機構及び反転搬送機構が設けられており、手差し給紙を行う場合には、手差しトレイ２６を開いて給紙ローラ２７に用紙を差し込むことで行われる。差し込まれた用紙は、給紙ローラ２７によりフィードローラ１４及びプレスローラ１５に搬送されて記録動作が行われる。また、反転搬送を行う場合には、片面に記録した用紙が一旦排紙ローラ２４及びプレスローラ２５の間に挟持されて搬出された後排紙ローラ２４を逆回転して反転搬送路に搬送して、フィードローラ２８及びプレスローラ２９、フィードローラ３０及びプレスローラ３１の２対の搬送ローラにより下方に向けて搬送する。そして、再度フィードローラ１４及びプレスローラ１５に搬送されてもう一方の面に記録動作が行われ、用紙の両面に記録されるようになる。
【００１６】
図２から図４は、手差しトレイ２６に関する使用状態を示す斜視図（（ａ）図）及び平面図（（ｂ）図）である。手差しトレイ２６は、装置本体の側部に取り付けられた本体トレイ４０を備えており、本体トレイ４０は、両側部に突設された軸部４０ａ及び４０ｂが装置本体に軸支されて回動可能に取り付けられている。本体トレイ４０は、使用しない場合には装置本体の側部に回動して収納され、使用する場合には図２に示すように装置本体の側部から所定角度上方に傾斜した位置に設定保持される。
【００１７】
本体トレイ４０の上面には両側に一対の用紙ガイド４１及び４２が幅方向に摺動可能に設けられており、図示せぬリンク機構により用紙ガイド４１及び４２は連動して幅方向に摺動して用紙の幅に合せて設定される。
【００１８】
本体トレイ４０の先端部には、補助トレイ４３が取り付けられており、補助トレイ４３の両側部に突設された軸部４３ａ及び４３ｂが本体トレイ４０の先端部に軸支されて回動可能に取り付けられている。
【００１９】
図３は、補助トレイ４３を外側に回動させて開いた状態を示している。補助トレイ４３を開いた状態においてその上面には延長トレイ４４が取り付けられており、延長トレイ４４は、両側部に突設された軸部４４ａ及び４４ｂが補助トレイ４３の先端部に軸支されて回動可能に取り付けられている。補助トレイ４３の上面には延長トレイ４４の形状に合せて段差部が形成され延長トレイ４４は段差部に嵌め込まれて収納されるようになっており、本体トレイ４０の上面から延長トレイ４４の表面側にかけてほぼ平面状に形成される。延長トレイ４４の表面には、小サイズの用紙の幅方向のセット位置を示す指示マーク４５が装置本体側の端部に表示されており、中央部には用紙の後端のセット位置を示す指示マーク４６が表示されている。小サイズの用紙としては、例えばＡ５判、Ｂ５判及びＡ４判が表示されており、Ａ４判については縦方向及び横方向での手差し給紙を行う場合のセット位置が表示されている。
【００２０】
小サイズの用紙をセットする場合には、図３に示すように補助トレイ４３を開き延長トレイ４４の表面に表示された指示マーク４５に合せて用紙ガイド４１及び４２を摺動させて位置決めし、用紙ガイド４１及び４２の間に用紙をセットしてその後端を指示マーク４６に合せて用紙を所定位置にセットする。この場合、小サイズの用紙の指示マークのみ表出しているので、小サイズの用紙をそのサイズに合せて誤りなくセットすることができる。
【００２１】
図４は、延長トレイ４４を外側に回動させて開いた状態を示している。延長トレイ４４を開いた状態では、補助トレイ４３に対して延長トレイ４４が上方にわずかに傾斜した状態で設定保持されるようになっている。そして、延長トレイ４４が開いた状態において補助トレイ４３の上面（延長トレイ４４の収納時における延長トレイ４４との対向面）には大サイズの用紙の幅方向のセット位置を示す指示マーク４７が表示されており、延長トレイ４４の裏面側（開いた状態での上面）には大サイズの用紙の後端のセット位置を示す指示マーク４８が表示されている。大サイズの用紙としては、例えば、Ａ３判及びＢ４判が表示される。
【００２２】
指示マーク４７及び４８は、図３に示す延長トレイ４４の収納時には延長トレイ４４に隠れた位置に設定されているため、外部から視認されることはない。また、小サイズの用紙のセット位置を示す指示マーク４５及び４６を表示した表面は、図４では延長トレイ４４の下面に設定されるため、上方から見た場合に視認されることはない。そのため、延長トレイ４４を開いて大サイズの用紙をセットする場合には大サイズの用紙のセット位置を示す指示マークのみが視認されるようになる。
【００２３】
大サイズの用紙をセットする場合には、図４に示すように補助トレイ４３を外方に回動して開き、さらに延長トレイ４４を外方に回動して開き、補助トレイ４３の上面に表示された指示マーク４７に合せて用紙ガイド４１及び４２を摺動させて位置決めし、用紙ガイド４１及び４２の間に用紙をセットしてその後端を指示マーク４８に合せて用紙を所定位置にセットする。この場合、大サイズの用紙に関する指示マークのみ表出しているので、大サイズの用紙をそのサイズに合せて誤りなくセットすることができる。
【００２４】
図５及び図６は、手差しトレイ２６の別の実施例に関する補助トレイ５０及び延長トレイ５２を示す斜視図（（ａ）図）及び平面図（（ｂ）図）である。補助トレイ５０は、両側部に突設された軸部５０ａ及び５０ｂが本体トレイ４０に軸支されて回動可能に取り付けられている。延長トレイ５２は、補助トレイ５０内に形成された空隙に挿入されて外方に向かって引き出し可能に取り付けられている。補助トレイ５０には装置本体側の端部に幅方向にわたって矩形状の窓部５１が形成されており、挿入された延長トレイ５２が窓部５１から露出するようになっている。
【００２５】
延長トレイ５２は、図７に示すように、装置本体側が幅広に形成されてＴ字形に成形されており、幅広部分５２ａから幅狭部分５２ｂが外方に延設されている。幅広部分５２ａには両側に小サイズの用紙の幅方向のセット位置を示す指示マーク４５が表示されており、幅狭部分５２ｂには大サイズの用紙の後端のセット位置を示す指示マーク４８が表示されている。
【００２６】
補助トレイ５０の上面には、窓部５１と先端との間に小サイズの用紙の後端のセット位置を示す指示マーク４６が表示されており、延長トレイ５２を引き出した状態において窓部５１から露出する内部の面には大サイズの用紙の幅方向のセット位置を示す指示マーク４７が表示されている。
【００２７】
図５は、延長トレイ５２が補助トレイ５０内に挿入された状態を示しており、補助トレイ５０の窓部５１から延長トレイ５２の幅広部分５２ａが露出して小サイズの用紙の幅方向のセット位置を示す指示マーク４５が表出している。また、幅狭部分５２ｂに表示された指示マーク４８は補助トレイ５０内の隠れた位置に設定されて外部から視認されない。したがって、延長トレイ５０が挿入された状態では、小サイズの用紙に関する指示マーク４５及び４６が外部から視認可能な位置に設定されるため、これらの指示マークに合せて小サイズの用紙を誤りなくセットすることができる。
【００２８】
図６は、延長トレイ５２の幅狭部分５２ｂの先端部を把持して引き出した状態を示しており、延長トレイ５２の幅狭部分５２ｂが外方に引き出されて大サイズの用紙の後端のセット位置を示す指示マーク４８が表出され、幅広部分５２ａに表示された小サイズの用紙の幅方向のセット位置を示す指示マーク４５が移動して補助トレイ５０内の隠れた位置に設定されるようになる。また、延長トレイ５２が引き出されることで、窓部５１から補助トレイ５０内の面が露出して大サイズの用紙の幅方向のセット位置を示す指示マーク４７が表出するようになる。したがって、延長トレイ５０が引き出された状態では、大サイズの用紙に関する指示マーク４７及び４８が外部から視認可能な位置に設定されるため、これらの指示マークに合せて大サイズの用紙を誤りなくセットすることができる。
【００２９】
以上説明したように、補助トレイ及び延長トレイを用紙のサイズに合せて設定することでそのサイズに対応する指示マークが表出するようになるので、セットする用紙の種類が増加しても指示マークに合せて用紙を容易にセットすることが可能となる。
【図面の簡単な説明】
【００３０】
【図１】本発明に係る実施形態に関する画像形成装置全体の概略断面図である。
【図２】手差しトレイに関する使用状態を示す斜視図及び平面図である。
【図３】手差しトレイに関する使用状態を示す斜視図及び平面図である。
【図４】手差しトレイに関する使用状態を示す斜視図及び平面図である。
【図５】別の手差しトレイに関する使用状態を示す斜視図及び平面図である。
【図６】別の手差しトレイに関する使用状態を示す斜視図及び平面図である。
【図７】延長トレイに関する平面図である。
【符号の説明】
【００３１】
１    画像形成装置
２    記録部
３    給紙部
26    手差しトレイ
40    本体トレイ
43    補助トレイ
44    延長トレイ
45    指示マーク
46    指示マーク
47    指示マーク
48    指示マーク
50    補助トレイ
51    窓部
52    延長トレイ
【図１】
2008207907.tif 000003
【図２】
2008207907.tif 000004
【図３】
2008207907.tif 000005
【図４】
2008207907.tif 000006
【図５】
2008207907.tif 000007
【図６】
2008207907.tif 000008
【図７】
2008207907.tif 000009